(57)【特許請求の範囲】
【請求項１】
住宅のコンクリート基礎形成時にアンカーボルトを支持するアンカーボルト支持具であって、
前記基礎用に対向して配置される二つの基礎型枠材上に架け渡されるとともに、該基礎型枠材間の間隙内に臨む段差状部分を有する支持板部材と、
この支持板部材の段差状部分に設けられ、前記アンカーボルトの側面に当接する当接部を有し該アンカーボルトを所定の角度に規制する角度規制手段と、
前記アンカーボルトを前記角度規制手段の当接部に押圧して、該アンカーボルトを前記当接部との間で挟んだ状態に挟持する押圧手段と、
前記支持板部材の両端の前記各基礎型枠材への当接面に設けた吸着手段とを備え、
前記支持板部材は、段差状部分とその両端に段差部を介して設けられ前記基礎型枠材上に載置される支持片とによって形成され、段差状部分の両端側の段差部が前記二つの基礎型枠材の内側面に当接するとともに、両端側の前記支持片に設けた吸着手段を介して着脱可能に吸着保持されることにより、該基礎型枠材に対する支持板部材の配置を規制するように構成され、
前記角度規制手段は、前記支持板部材の段差状部分と、この段差状部分に下端部が設けられ該段差状部分から立設された立ち上がり部を介して該段差状部分から離間した状態で重なるように設けられる台座部を備え、
これらの段差状部分と台座部には、それぞれ前記アンカーボルトを側方から同時に係入可能な切欠部が設けられ、かつそれぞれの切欠部の内縁部の所定位置が、前記角度規制手段の当接部となっており、
前記台座部を支える立ち上がり部であって、前記切欠部の前記当接部となる内縁部とは反対側の部分に、ねじ体を螺合可能な雌ねじ部が設けられ、該雌ねじ部に螺合して前記アンカーボルトを前記当接部に向かって押圧可能なねじ体が、前記押圧手段として設けられ、このねじ体による押圧及び押圧解除により、前記アンカーボルトが着脱自在に保持されるように構成されていることを特徴とするアンカーボルト支持具。
【発明の詳細な説明】
【０００１】
【発明の属する技術分野】
本発明は、住宅のコンクリート基礎の形成時において該コンクリート基礎にアンカーボルトを取り付ける際に、打設されたコンクリートが硬化するまで、アンカーボルトを所要の状態で位置決め支持するアンカーボルト支持具に関する。
【０００２】
【従来の技術】
一般に、住宅のコンクリート基礎には、基礎と上部構造物となる住宅の躯体とを接合するためのアンカーボルトが、下部をコンクリート基礎に埋設し、上部をコンクリート基礎上面から上方に突出させた状態で取り付けられている。
上記アンカーボルトの基礎への取り付けは、例えば、コンクリート基礎用の型枠にコンクリートを打設する前に、アンカーボルトをその下部が打設されたコンクリートに埋設されるように所定位置に配置し、次いで、型枠内にコンクリート打設することで行われている。
【０００３】
本出願人は、コンクリート打設前にアンカーボルトを所定位置に配置するためのアンカーボルト支持具として、図４に示されるようなものを既に提案している。
この従来のアンカーボルト支持具１は、基礎型枠２の互いに対向して配置される二つの型枠材３、３上に架け渡された状態で載置される矩形状の支持板４と、支持板４の両端部において、支持板４の一部を切り抜いて下方に折り曲げた規制部５、５と、上記支持板４の中央部において略垂直に立設された支柱板部６と、該支柱板部６の上端部から支持板４と平行に延出した延出板部７と、上記支持板４及び延出板部７の互いに重なる位置にそれぞれ設けられた挿通孔８、９と、アンカーボルト１０の上端部に螺合させられるナット１１とからなる。
【０００４】
このようなアンカーボルト支持具１の使用方法は、まず、アンカーボルト１０の上端部を支持板４および延出板部７の挿通孔８、９に挿通させ、アンカーボルト１０の上端部にナット１１を螺合する。これにより挿通孔８、９よりも径の大きいナット１１が抜け止めとなって、アンカーボルト１０がアンカーボルト支持具１に取り付けられた状態となる。なお、アンカーボルト１０の下端部は、コンクリートに埋設された状態で上方への引抜力に対応するために拡径された形状になっており、アンカーボルト１０の下端部は、挿通孔８、９を挿通できない。
【０００５】
また、挿通孔８、９は、その径がアンカーボルト１０を容易に挿通できるようにアンカーボルト１０の径よりもかなり大きいものとなっているとともに、その一部にアンカーボルト１０の径と略同様の径の円弧状の凹部が形成されており、挿通孔８、９にアンカーボルト１０を挿通した後に、上記凹部にアンカーボルト１０を係合させることによりアンカーボルト１０の位置が決められる。
【０００６】
次に、基礎型枠２の上面に布基礎の長さ方向に沿って定規テープ１２を配置する。なお、定規テープ１２は、その一方の側縁部に所定間隔毎に欠き込み部１２ａが形成されており、欠き込み部１２ａにアンカーボルト１０を合わせて配置することでアンカーボルト１０を基礎の所定位置に配置することができる。
【０００７】
上述のようにアンカーボルト１０が取り付けられたアンカーボルト支持具１を基礎型枠２上に載置する。この際には、アンカーボルト支持具１に取り付けられたアンカーボルト１０の位置が、定規テープ１２の欠き込み部１２ａの位置と一致するようにする。また、アンカーボルト支持具１の支持板４の両端部が互いに対向して配置された二つの型枠材３、３の上にそれぞれ載置された状態とするとともに、支持板４の下方に突出する規制部５、５が二つの型枠材３、３のそれぞれの内面に当接するようにする。これら規制部５、５を型枠材３、３の内面に当接させることにより、基礎型枠２に対するアンカーボルト支持具１の配置位置が確定するとともに、アンカーボルト１０の左右の型枠材３、３からの距離が確定するようになっている。
【０００８】
上述した従来のアンカーボルト支持具１は、その支持板４及び延出板部７の挿通孔８、９に、アンカーボルト１０の小径な上端部を挿入する必要があるとともに、アンカーボルト１０の下端部の径が太くて、挿通孔８、９に挿通できない状態となっているので、アンカーボルト支持具１を基礎型枠上に設置した状態で、アンカーボルト１０をアンカーボルト支持具１の上側から挿通孔８、９に挿通することができない。
【０００９】
さらに、アンカーボルト支持具１を基礎型枠２上に設置した状態で、アンカーボルト１０の上端部を基礎型枠２内部のアンカーボルト支持具１の下側から上記挿通孔８、９に挿通しようとすると、アンカーボルト１０の下端が既に硬化している基礎のベース部に当たってしまい、アンカーボルト支持具１を少し持ち上げないと、挿通できない可能性があるとともに、狭い基礎型枠２内部で、アンカーボルト１０を取り扱うのが困難であり、実質的に基礎型枠２上にアンカーボルト支持具１を設置した後に、アンカーボルト支持具１にアンカーボルト１０を取り付けることができない。
【００１０】
したがって、上述のようにアンカーボルト支持具１にアンカーボルト１０を取り付けた後に、アンカーボルト支持具１を基礎型枠２に設置する必要があるが、この場合に、アンカーボルト支持具１の実質的な重量及びサイズがアンカーボルト１０により大きくなるとともに、アンカーボルト支持具１に対してアンカーボルト１０ががたつくので、アンカーボルト支持具１の操作性が悪かった。
【００１１】
また、基礎型枠２内にコンクリートを打設してコンクリートが硬化した後に、アンカーボルト支持具１を取り外す場合には、基礎に下端部が固定されたアンカーボルト１０の上端部のナット１１の螺合を解除して完全に取り外し、アンカーボルト支持具１を上側に移動してアンカーボルト１０を抜き取る必要があり、一つの住宅の基礎に多数配置されたアンカーボルト１０の全てからアンカーボルト支持具１を取り外すのに手間がかかっていた。
【００１２】
また、アンカーボルト支持具１は、その支持板４の両端部に設けられた規制部５、５間の距離が、基礎型枠１の二つの型枠材２、２間の距離に対応しているので、基礎によって二つの型枠材２、２間の間隔が異なる場合には、規制部５、５間の距離の異なるアンカーボルト支持具１を用意する必要がある。
すなわち、一つのアンカーボルト支持具１で、厚みの異なる基礎に対応することができない。なお、基礎の厚みは、例えば、二階建ての住宅と三階建ての住宅とで異なるものが用いられる場合があり、三階建ての住宅の基礎の厚みは二階建ての住宅の基礎の厚みより厚くすることがある。また、一つの住宅においても、風呂場の周囲を囲む基礎の厚みを、他の基礎より薄くする場合がある。
【００１３】
このような不具合を解消するために本出願人は、図５に示す構造をもつアンカーボルト支持具１を提案している。
このアンカーボルト支持具１は、住宅のコンクリート基礎用に対向して配置される二つの基礎型枠材３、３上に架け渡されて載置される支持板４と、該支持板４に設けられるとともに上記アンカーボルト１０の側面の少なくとも上下二カ所に当接する当接部１４ｃ、１５ｃを有して上記アンカーボルト１０を所定の角度に規制する角度規制手段と、上記アンカーボルト１０を上記角度規制手段の当接部１４ｃ、１５ｃに押圧して、上記アンカーボルト１０を上記当接部１４ｃ、１５ｃとの間で挟んだ状態に挟持する押圧手段（蝶ボルト１６）とを具備してなり、上記押圧手段１６の押圧及び押圧の解除により、上記アンカーボルト１０に対して着脱自在になっている。
【００１４】
上記構成によれば、基礎型枠材３、３の上端フランジ３ａ、３ａ上に載置されたアンカーボルト支持具１にアンカーボルト１０を支持させ、基礎型枠２にコンクリートを打設することにより、アンカーボルト１０を基礎に取り付けることができるとともに、角度規制手段の当接部１４ｃ、１５ｃと押圧手段１６との間にアンカーボルトが挟持されるとともに、押圧手段１６の押圧及び押圧の解除により、アンカーボルト支持具１がアンカーボルト１０に対して着脱自在となっているので、押圧手段１６の押圧を解除することにより、基礎に取り付けられたアンカーボルト１０からアンカーボルト支持具１を容易に取り外すことができる。
【００１５】
また、角度規制手段の当接部１４ｃ、１５ｃと押圧手段１６との間にアンカーボルト１０が挟持されることにより、アンカーボルト支持具１へアンカーボルト１０が取り付けられる構成となっていれば、角度規制手段の当接部１４ｃ、１５ｃと押圧手段１６との間にアンカーボルト支持具１の側方からアンカーボルト１０を挿入することができる構成とすることが可能となる。そして、アンカーボルト支持具１の側方からアンカーボルト１０を挿入できる切欠き１４、１５を設けることによって、基礎型枠２にアンカーボルト支持具１を設置する際に、アンカーボルト支持具１を基礎型枠２に設置してから、アンカーボルト支持具１にアンカーボルト１０を取り付けることができる。
【００１６】
したがって、アンカーボルト１０が取り付けられる前の軽量でコンパクトなアンカーボルト支持具１を基礎型枠２の所定位置に設置することができるので、アンカーボルト支持具１の基礎型枠２への設置を容易に行うことができ、アンカーボルト１０のアンカーボルト支持具２０を用いた基礎への取り付けを容易なものとすることができる。
【００１７】
また、上述したアンカーボルト支持具１では、上記支持板４から下方に延出するとともに、上記二つの基礎型枠材３、３のうちの一方の基礎型枠材３の側面に当接して、上記基礎型枠材３に対する支持板４の配置を規制する当接規制板１７を設けている。このような当接規制板１７が、支持板４に対して所定の角度で配置されるとともに、角度規制手段の当接部１４ｃ、１５ｃから所定の距離に配置されていれば、当接規制板１７を一方の基礎型枠材３の側面に当接させることにより、一方の基礎型枠材３に対する角度規制手段の当接部１４ｃ、１５ｃに当接したアンカーボルト１０の配置を決めることができる。
【００１８】
また、一方の基礎型枠材３に対してだけ当接規制板１７が当接するようになっているので、一方の基礎型枠材３に対して他方の基礎型枠材３が、アンカーボルト支持具１に支持されたアンカーボルト１０までの距離にアンカーボルト１０を支持するのに必要なコンクリート厚を足した距離から、支持板４が掛け渡せる距離までの範囲内に配置されていればよく、一方の基礎型枠材３と他方の基礎型枠材３との間の距離が異なっても、同じアンカーボルト支持具１を用いることができる。すなわち、厚みの異なる基礎を形成する場合でも、同じ規格のアンカーボルト支持具１で対応することができるのである。
【００１９】
【発明が解決しようとする課題】
しかし、上述した従来のアンカーボルト支持具１では、基礎型枠材３の上端フランジ部分に載置する支持板４の一部に設けた位置決め用の規制部５または位置決め用の当接規制板１７によって位置決めしているに過ぎず、アンカーボルト１０の位置決め精度を確保するうえでまだまだ不十分であった。
【００２０】
すなわち、上述した後者のアンカーボルト支持具１では、アンカーボルト１０が基礎の厚みの中心に配置されるとは限らず、基礎の一方の側面からアンカーボルト１０までの距離が一定のものになるに過ぎない。また、支持板４を型枠材３の上端フランジ３ａ，３ａ上に単純に載置しているだけであるから、基礎の面方向における位置決めを行うための治具が必要であり、しかも支持板４がずれたりすると、アンカーボルト１０の取付け位置にずれが生じるおそれもあった。
【００２１】
したがって、上述した従来のアンカーボルト支持具１によれば、コンクリート基礎の厚み方向におけるアンカーボルト１０の位置決めはある程度行えるものの、基礎の面方向における位置決めは、型枠材３、３上に載置する支持板４の位置に頼っているだけであり、このような点をも含めてアンカーボルト１０の取付け位置精度を適切かつ確実に確保できるような何らかの対策を講じることが望まれている。
【００２２】
本発明はこのような事情に鑑みてなされたものであり、コンクリート基礎に対してのアンカーボルトの取付け精度を向上させることができるアンカーボルト支持具を得ることを目的とする。
【００２３】
【課題を解決するための手段】
このような目的に応えるために本発明（請求項１記載の発明）に係るアンカーボルト支持具は、住宅のコンクリート基礎形成時にアンカーボルトを支持するアンカーボルト支持具であって、前記基礎用に対向して配置される二つの基礎型枠材上に架け渡されるとともに、該基礎型枠材間の間隙内に臨む段差状部分を有する支持板部材と、この支持板部材の段差状部分に設けられ、前記アンカーボルトの側面に当接する当接部を有し該アンカーボルトを所定の角度に規制する角度規制手段と、前記アンカーボルトを前記角度規制手段の当接部に押圧して、該アンカーボルトを前記当接部との間で挟んだ状態に挟持する押圧手段と、前記支持板部材の両端の前記各基礎型枠材への当接面に設けた吸着手段とを備え、前記支持板部材は、段差状部分とその両端に段差部を介して設けられ前記基礎型枠材上に載置される支持片とによって形成され、段差状部分の両端側の段差部が前記二つの基礎型枠材の内側面に当接するとともに、両端側の前記支持片に設けた吸着手段を介して着脱可能に吸着保持されることにより、該基礎型枠材に対する支持板部材の配置を規制するように構成され、前記角度規制手段は、前記支持板部材の段差状部分と、この段差状部分に下端部が設けられ該段差状部分から立設された立ち上がり部を介して該段差状部分から離間した状態で重なるように設けられる台座部を備え、これらの段差状部分と台座部には、それぞれ前記アンカーボルトを側方から同時に係入可能な切欠部が設けられ、かつそれぞれの切欠部の内縁部の所定位置が、前記角度規制手段の当接部となっており、前記台座部を支える立ち上がり部であって、前記切欠部の前記当接部となる内縁部とは反対側の部分に、ねじ体を螺合可能な雌ねじ部が設けられ、該雌ねじ部に螺合して前記アンカーボルトを前記当接部に向かって押圧可能なねじ体が、前記押圧手段として設けられ、このねじ体による押圧及び押圧解除により、前記アンカーボルトが着脱自在に保持されるように構成されていることを特徴とする。
【００２４】
【００２５】
【００２６】
【００２７】
【００２８】
【００２９】
本発明によれば、基礎型枠材上に載置されたアンカーボルト支持具にアンカーボルトを支持させて、基礎型枠にコンクリートを打設することにより、アンカーボルトを基礎に取り付けることができるとともに、角度規制手段の当接部と押圧手段であるねじ体との間にアンカーボルトが挟持されるとともに、押圧手段であるねじ体の押圧及び押圧の解除により、アンカーボルト支持具がアンカーボルトに対して着脱自在となっているので、押圧手段であるねじ体の押圧を解除することにより、基礎に取り付けられたアンカーボルトからアンカーボルト支持具を容易に取り外すことができる。
【００３０】
また、本発明によれば、上述した支持板部材中央の段差状部分を、前記型枠材間に臨ませ、その両端の段差部を該型枠材の内側面に当接させることにより位置決めするとともに、両端の支持片に設けた吸着手段で型枠材の上端部に位置決めした状態で吸着保持させて着脱可能に載置することにより、アンカーボルトを所要の状態に位置決めし、取付け精度を確保した状態で取付けることができる。
【００３１】
また、本発明によれば、角度規制手段を、支持板部材の段差状部分とその上部に離間した状態で重なるように立ち上がり部を介して設けられる台座部とに切欠部を設けることにより形成した当接部によって構成することにより、アンカーボルト支持具の側方からアンカーボルトを係入させることができるので、基礎型枠にアンカーボルト支持具を設置する際に、アンカーボルト支持具を基礎型枠に設置してから、アンカーボルト支持具にアンカーボルトを取り付けることが可能となる。
【００３２】
したがって、アンカーボルトが取り付けられる前の軽量でコンパクトなアンカーボルト支持具を基礎型枠の所定位置に設置することができるので、アンカーボルト支持具の基礎型枠への設置を容易に行うことができ、アンカーボルトのアンカーボルト支持具を用いた基礎への取り付けを容易なものとすることができる。なお、上記支持板部材は、対向して配置される二つの基礎型枠材上に架け渡されて載置可能で、かつ、アンカーボルトの荷重を支持可能なものであれば、その厚み、材質等は特に限定されるものではないが、例えば、矩形状の板体を用い、これを上述したような段差状部分を有する形状に折曲げ形成することができればよい。
【００３３】
また、上記角度規制手段は、アンカーボルトの側面の上下二カ所に当接する当接部を有するものならば、その形状や材質を限定されるものではない。
たとえば角度規制手段としては、支持板部材の段差状部分に立設される柱状もしくは板状やその他形状のものでも良く、その側面がアンカーボルトの側面の上下二カ所に当接するようになっていればよい。
【００３４】
【００３５】
また、角度規制手段の当接部にアンカーボルトを当接させる際に、支持板部材が邪魔になる場合には、支持板部材にアンカーボルトを挿通可能な挿通孔や切欠部を設ける必要がある。このとき、支持板部材に挿通孔を設けた場合には、アンカーボルト支持具の側方からアンカーボルトをアンカーボルト支持具に取り付けることが困難になるので、角度規制手段の当接部にアンカーボルトを当接させる際に、支持板部材が邪魔になる場合には、望ましくは支持板部材の側方からアンカーボルトを挿入可能となるように支持板部材の側方に開口する切欠部を設けることが好ましい。
【００３６】
また、上記押圧手段は、アンカーボルトを角度規制手段の当接部にアンカーボルトを押し付けて角度規制手段と押圧手段であるねじ体との間にアンカーボルトを挟持することができれば、どのような構成でもよく、たとえば弾性部材の弾性力によりアンカーボルトを押圧するものや、ねじがアンカーボルトに向かって螺合される雌ねじ部を設け、該雌ねじ部に螺合されたねじを締め付けることにより、アンカーボルトを押圧するものでもよい。
【００３７】
また、本発明によれば、アンカーボルトを側方から支持板部材と台座部とで同時に挿入可能な切欠部を設け、これら支持板部材および台座部のそれぞれの切欠部の内縁部の所定位置が、角度規制手段の当接部となっているので、支持板部材に設けた切欠部の内縁部の所定位置と、台座部に設けられた切欠部の内縁部の所定位置との上下二カ所において、アンカーボルトの側面の上下二カ所に当接することで、アンカーボルトを所定の角度、例えば、垂直にすることができる。
【００３８】
また、上記切欠部が側方からアンカーボルトを係入可能となっているので、上述のようにアンカーボルト支持具を基礎型枠に設置した後に、アンカーボルト支持具の側方からアンカーボルトをアンカーボルト支持具の切欠部の所定位置の当接部の位置にセットすることができる。なお、立ち上がり部は、台座部を支持できるものならばどのような形状、材質でもよいが、たとえば台座部と一体の板体とすれば、これを容易に製造することができる。
【００３９】
また、台座部も、当接部となる部分にアンカーボルトを支持するだけの強度があれば、どのような形状の板体でも、どのような材質でもよい。また、上記切欠部の形状は、アンカーボルト支持具の側方からアンカーボルトを係入可能な形状ならば特に限定されるものではないが、アンカーボルトが当接する当接部となる部分が、アンカーボルトが当接した状態で安定する形状、例えば、円弧上の凹部やＶ字状の凹部となっていることが好ましい。
【００４０】
【発明の実施の形態】
図１ないし図３は本発明に係るアンカーボルト支持具の一つの実施の形態を示すものであり、これらの図において、前述した図４、図５と同一または相当する部分には同一番号を付して、その詳細な説明は省略する。
【００４１】
これらの図において、符号２０はアンカーボルト支持具の一例を示し、このアンカーボルト支持具２０は、図１〜図３に示すように、基礎型枠２の対向して配置される二つの型枠材３、３上に架け渡されて配置される支持板部材２０Ａを備える。この支持板部材２０Ａは、全体が略矩形状を呈する板材を折曲げ形成することにより形成され、その中央部の段差状部分２３が前記型枠材３，３間の間隙に臨み、両端の段差部２３ａ，２３ｂが該型枠材３，３の内側面に当接することにより、型枠材３の内面に対して支持板部材２０Ａの長さ方向が直角になるようになり、該支持板部材２０Ａの位置決めを行う当接規制手段として機能する。
【００４２】
前記支持板部材２０Ａの両端の支持片２１，２２は、前記型枠材３，３の上端フランジ３ａ，３ａ上に載置される部分であり、その裏面には、吸着手段としてマグネット２４，２５が付設されている。これにより、マグネット２４，２５の吸着作用により、支持板部材２０Ａは、型枠材３，３の上端部に基礎の面方向における位置決めも所要の状態で行える。
【００４３】
すなわち、このアンカーボルト支持具２０によれば、支持板部材２０Ａの段差状部分２３の段差部２３ａ，２３ｂにより基礎の厚み方向の位置決めが、支持片２１，２２のマグネット２４，２５により基礎の面方向の位置決めが行える。したがって、このアンカーボルト支持具２０は、所要の状態で基礎を形成するための型枠材３，３上に取付けることができるのである。
【００４４】
前記支持板部材２０Ａ上には、立ち上がり部２６を有する台座部２６ａが設けられる。ここでは、台座部２６ａが、支持板部材２０Ａ上に所定の間隔をおいて平行する部分を形成する形状を呈するように板材からの折曲げによって形成されて一体的に固定されている。そして、これらの部分で、前記アンカーボルト１０の側面の少なくとも上下二カ所に当接する当接部２７ａ，２８ａを有し該アンカーボルト１０を所定の角度、ここでは垂直に規制する角度規制手段が設けられ、さらにアンカーボルト１０を該角度規制手段の当接部２７ａ，２８ａに押圧して、該アンカーボルト１０を前記当接部２７ａ，２８ａとの間で挟んだ状態に挟持する押圧手段として、蝶ボルト２９が設けられている。
【００４５】
前記角度規制手段を構成する前記段差状部分２３と台座部２６ａには、それぞれ前記アンカーボルト１０を側方から同時に係入可能な切欠部２７，２８が設けられ、かつそれぞれの切欠部２７，２８の内縁部の所定位置が、前記角度規制手段の当接部２７ａ，２８ａとなっている。
【００４６】
また、前記台座部２６ａを支える立ち上がり部２６であって、前記切欠部２７，２８の前記当接部２７ａ，２８ａとなる内縁部とは反対側の部分に、ねじ体を螺合可能な雌ねじ部２９ａが設けられている。該雌ねじ部２９ａに螺合して前記アンカーボルト１０を前記当接部２７ａ，２８ａに向かって押圧可能なねじ体である蝶ボルト２９が、押圧手段として設けられている。
【００４７】
なお、支持板部材２０Ａの両端縁部には、Ｖ字状の切り込み部が形成され、たとえば二つの型枠材３、３のフランジ３ａ、３ａの上面にアンカーボルト支持具２０の設置位置を示す目印として型枠材３、３の長さ方向に直交する直線を引いた場合に、上述の切り込み部から直線の両端部を目視で確認できるようになっている。
【００４８】
また、支持板部材２０Ａには、その中央部に支持板部材２０Ａの一方の側縁に開口する切欠部２７が設けられている。上記切欠部２７は、支持板部材２０Ａの一方の側縁に開口する半円状の凹部である半円部と、半円部から支持板部材２０Ａの他方の側縁に向かって支持板部材２０Ａの幅の略半分の位置まで延出する帯部と、帯部の後端部側縁に設けられた円弧状の凹部である当接部２７ａとからなる。なお、台座部２６ａ側の切欠部２８も同様な構造になっていることは言うまでもない。
【００４９】
前記半円部は、その径がアンカーボルト１０の径よりも二倍程度以上大きくなっており、容易に支持板部材２０Ａの一方の側縁側からアンカーボルト１０を切欠部２７の入口部分に挿入できるとともに帯部側に案内するようになっている。また、帯部は、その幅がアンカーボルト１０の径よりも僅かに広くなっており、帯部に沿ってアンカーボルト１０を切欠部２７の奥に案内するようになっている。当接部２７ａとなる円弧状の凹部は、アンカーボルト１０の外周面に対応するものとなっており、当接部２７ａの内側縁部がアンカーボルト１０の外周面に当接した状態でアンカーボルト１０が安定した状態となるようになっている。
【００５０】
なお、上述した台座部２６ａを支持する立ち上がり部２６の下端は、外側に組って直角に折曲げられ、支持板部材２０Ａに対してビス止め、溶接もしくは接着等により接合される接合部となる部分である。また、立ち上がり部２６の一部に設けた雌ねじ部２９ａとしては、ナットを溶接により設けてもよいし、板材をボス状に孔明けすることにより雌ねじ部を形成するようにしてもよい。
【００５１】
次に、上記アンカーボルト支持具２０を用いた住宅の基礎へのアンカーボルト１０の取り付け方法を説明する。
まず、たとえば基礎型枠（基礎のベース部分上に形成される立ち上がり部の型枠）２の型枠材３、３を建て込む。次に、型枠材３、３上に型枠材３、３の長さ方向に沿って、従来の技術で述べたと同様の定規テープ（図示せず）を配置する。次に、アンカーボルト支持具２０を基礎型枠２上に設置することになるが、この際には、定規テープの凹部の位置と、アンカーボルト支持具２０の支持板部材２０Ａに形成された切欠部２７の当接部２７ｃとなる凹部の位置とが一致するようにする。そして、この状態で、支持板部材２０Ａは、支持片２１，２２のマグネット２４，２５により適正な位置に吸着されることにより位置決めされて取付けられることになる。
【００５２】
なお、蝶ボルト２６は、予めアンカーボルト支持具２０に取付けておいてもよいし、後から取付けるようにしてもよい。また、上述したように支持板部材２０Ａを取付けるときには、前記段差状部分２３が型枠材３，３間の間隙に一部が臨んだ状態で取付けられ、その時に基礎の厚み方向の位置決めが行われる。
【００５３】
このようにアンカーボルト支持具２０を基礎型枠２に設置する際に、アンカーボルト支持具２０にアンカーボルト１０を取り付ける必要がないので、アンカーボルト支持具２０を容易に取り扱うことができ、アンカーボルト支持具２０を基礎型枠２の所定位置に容易に設置することができる。
【００５４】
次に、アンカーボルト１０をアンカーボルト支持具１０の側方から支持板部材２０Ａ及び台座部２６ａの切欠部２７、２８に、その側方の開口から係入させる。そして、アンカーボルト１０を切欠部２７、２８の半円部から帯部に入れ、さらに、当接部２７ａ、２８ａにアンカーボルト１０の側面の上下二カ所が当接するようにする。
【００５５】
次に、この状態で、蝶ボルト２９をねじ込み、図１及び図２に示すように、蝶ボルト２９の先端部と上記当接部２７ａ、２８ａとの間にアンカーボルト１０を挟持した状態とする。
次に、基礎型枠２の型枠材３、３の間にコンクリートを打設する。そして、基礎となるコンクリートが硬化し、基礎にアンカーボルト１０が取り付けられた状態となったら、コンクリート支持具２０の蝶ボルト２９を緩めるようにまわすことで、コンクリート支持具２０によるアンカーボルト１０の挟持を解除し、コンクリート支持具２０を取り外す。
【００５６】
この際には、蝶ボルト２９を僅かにまわすだけで、アンカーボルト１０の挟持を解除してコンクリート支持具２０を取り外すことができるので、極めて容易に基礎に固定されたアンカーボルト１０からコンクリート支持具２０を取り外すことができ、基礎の全てのアンカーボルト１０からコンクリート支持具２０を外すものとしても、短時間で外すことができる。
【００５７】
以上のように、この一例のアンカーボルト支持具２０によれば、アンカーボルト支持具２０を基礎型枠２に設置してから、アンカーボルト１０をアンカーボルト支持具２０の側方から、アンカーボルト支持具２０にアンカーボルト１０を設置することができるので、アンカーボルト１０が取り付けられていないアンカーボルト支持具２０を基礎型枠２に設置することができ、アンカーボルト支持具の基礎型枠２への設置を容易なものとすることができる。
【００５８】
また、上述のようにアンカーボルト支持具２０には、基礎型枠２の両側の型枠材３，３の内側面に当接する段差部２３ａ，２３ｂを設けているから、基礎の厚み方向での位置決めが確実で、面方向の位置決めも支持片２１，２２に設けたマグネット２４，２５で適切に行えるから、アンカーボルト１０の基礎に対しての取付け精度が大幅に向上することになる。さらに、蝶ボルト２９を操作するだけで、アンカーボルト１０から支持具２０を簡単に取り外したり、取り付けたりすることができるから、作業性の面でも有利である。
【００５９】
なお、本発明は上述した実施の形態で説明した構造には限定されず、各部の形状、構造等を適宜変形、変更し得ることはいうまでもない。たとえば支持板部材２０Ａ、台座部２６ａ、さらに切欠き部２７，２８等の形状や構造を適宜変更してもよいことは勿論である。
【００６０】
【発明の効果】
以上説明したように本発明に係るアンカーボルト支持具によれば、基礎型枠材上に載置されたアンカーボルト支持具にアンカーボルトを支持させて、基礎型枠にコンクリートを打設することにより、アンカーボルトを基礎に取り付けることができるとともに、角度規制手段の当接部と押圧手段であるねじ体との間にアンカーボルトを挟持するとともに、押圧手段であるねじ体の押圧及び押圧の解除によりアンカーボルト支持具がアンカーボルトに対して着脱自在となっているから、押圧手段であるねじ体の押圧を解除することで基礎に取り付けられたアンカーボルトからアンカーボルト支持具を容易に取り外すことができる。
【００６１】
特に、本発明によれば、上述した支持板部材中央の段差状部分を、前記型枠材間に臨ませ、その両端の段差部を該型枠材の内側面に当接させることにより位置決めするとともに、さらにその両端に設けた吸着手段で型枠材の上端部に位置決めした状態で吸着保持させて着脱可能に載置することにより、アンカーボルトを所要の状態に位置決めし、取付け精度を確保した状態で取付けることができる。したがって、アンカーボルトの取付け精度を従来に比べて向上させることが簡単に行える。
【００６２】
また、本発明によれば、角度規制手段を、支持板部材の段差状部分とその上部に離間した状態で重なるように立ち上がり部を介して設けられる台座部とに切欠部を設けることにより形成した当接部によって構成することにより、アンカーボルト支持具の側方からアンカーボルトを係入させることができるので、基礎型枠にアンカーボルト支持具を設置する際に、アンカーボルト支持具を基礎型枠に設置してから、アンカーボルト支持具にアンカーボルトを取り付けることが可能となる。
【００６３】
したがって、アンカーボルトが取付けられる前の軽量でコンパクトなアンカーボルト支持具を基礎型枠の所定位置に設置することができるので、アンカーボルト支持具の基礎型枠への設置を容易に行うことができ、アンカーボルトのアンカーボルト支持具を用いた基礎への取り付けを容易なものとすることができる。
【００６４】
また、本発明によれば、アンカーボルトを側方から支持板部材と台座部とで同時に係入可能な切欠部を設け、それぞれの切欠部の内縁部の所定位置を、角度規制手段の当接部とすることにより、支持板部材に設けた切欠部の内縁部の所定位置と、台座部に設けた切欠部の内縁部の所定位置との上下二カ所において、アンカーボルトを当接させることで、アンカーボルトを所定の角度、たとえば垂直にすることができる。また、切欠部が側方からアンカーボルトを挿入可能となっているので、アンカーボルト支持具を基礎型枠に設置した後に、アンカーボルト支持具の側方からアンカーボルトをアンカーボルト支持具の切欠部の所定位置の当接部の位置にセットすることができる。
【００６５】
また、本発明によれば、アンカーボルトを押圧手段であるねじ体により切欠部の凹部に押し付けることでアンカーボルトを挟持することができる。さらに、アンカーボルトをアンカーボルト支持具の側方から切欠部に挿入して、挟持することができるので、アンカーボルト支持具を基礎型枠に設置してからアンカーボルト支持具にアンカーボルトを取り付けることができる。
【図面の簡単な説明】
【図１】  本発明に係るアンカーボルト支持具の一つの実施の形態を示す概略斜視図である。
【図２】  図１のアンカーボルト支持具の概略側断面図である。
【図３】  図１、図２のアンカーボルト支持具を示し、（ａ），（ｂ），（ｃ）は正面図、平面図および側面図である。
【図４】  従来のアンカーボルト支持具の一例を示す概略斜視図である。
【図５】  従来のアンカーボルト支持具の別の例を示す概略斜視図である。
【符号の説明】
２…基礎型枠、３…型枠材、３ａ…上端フランジ、１０…アンカーボルト、２０…アンカーボルト支持具、２０Ａ…支持板部材、２１，２２…支持片、２３…段差状部分、２３ａ，２３ｂ…段差部、２４，２５…マグネット（吸着手段）、２６…立ち上がり部、２６ａ…台座部、２７，２８…切欠部、２７ａ，２８ａ…当接部（角度規制手段）、２９…蝶ボルト（ねじ体；押圧手段）。
【図１】
0004746751.tif 000002
【図２】
0004746751.tif 000003
【図３】
0004746751.tif 000004
【図４】
0004746751.tif 000005
【図５】
0004746751.tif 000006